(57)【特許請求の範囲】
【請求項１】
互いに接合、開離する当接面と、この当接面に直交する取り付け面とをそれぞれ有する第１部材と第２部材とを締結するために、取り付け面上に取り付けられるラッチ装置であって；第１部材の取り付け面上に取り付けられる第１の締結体と；第２部材の取り付け面上に取り付けられ、第１の締結体に対して結合、分離可能な第２の締結体とを具備し、
前記第１の締結体は、第１部材の取り付け面上に固着される支持部材と；当該取り付け面に平行な枢軸により前記支持部材に枢支され、取り付け面側に倒伏した締結位置と取り付け面から起立した非締結位置との間を回動自在で、常時締結位置に付勢されるラッチレバーと；支持部材上に固着され、キー操作により、締結位置にあるラッチレバーを支持部材に拘束、解放する錠前ユニットとを具備し、
前記ラッチレバーは、締結位置において前記第２の締結体に係合し、非締結位置において前記第２の締結体から離脱する係合部を一端側に有し；前記枢軸を挟んだ
他端側に、押圧操作によりラッチレバーを非締結位置へ回動させる操作部を有し、
前記第２の締結体は、第２部材の取り付け面上に固着される支持部材と；この支持部材上に支持され、第２部材が第１部材に接合する動作時に前記ラッチレバーの係合部に自動係合して第１部材と第２部材とを締結するラッチアームとを具備し、
このラッチアームと前記ラッチレバーの係合部との係合は、ラッチレバーの起立動作時における取り付け面直交方向の相対移動により解除可能に構成されることを特徴とするラッチ装置。
【請求項２】
前記ラッチレバーは、締結位置において前記錠前ユニットの鍵穴を露出させるキー挿入用の開口を有することを特徴とする請求項１に記載のラッチ装置。
【請求項３】
前記ラッチアームは、係合位置と非係合位置との間を第２部材の取り付け面に平行に移動自在で、係合位置に付勢され、第１部材と第２部材の当接面同士が接合する直前に前記ラッチレバーの係合部に摺接して非係合位置へ移動し、接合時に摺接を脱して係合位置に復帰することにより、ラッチレバーの係合部に係合するように構成されることを特徴とする請求項１又は2に記載のラッチ装置。
【請求項４】
前記ラッチアームは、一端側において第２部材の取り付け面直交方向の枢軸により前記支持部材上に枢支されることにより、係合位置と非係合位置との間を回動自在で、係合位置に付勢され、第２部材の接合面から第１部材側へ延出し、他端部に、取り付け面に平行な方向へ突出する係合部を具備し、
前記ラッチレバーの係合部は、第１部材と第２部材の当接面同士が接合する直前に前記ラッチレバーの係合部に摺接してラッチレバーを非係合位置へ退避させ、接合時に復帰させて前記ラッチアームの係合部に対し取り付け面に平行な方向に係合する対応突起を具備し、
それによって、前記ラッチアームと前記ラッチレバーとの係合が、ラッチレバーの起立動作時における取り付け面直交方向の相対移動により解除可能に構成されることを特徴とする請求項１ないし３のいずれかに記載のラッチ装置。
【発明の詳細な説明】
【技術分野】
【０００１】
この発明は、筐体とそれの開口を開閉する蓋体のような２つの部材間を締結するラッチ装置に関する。
【背景技術】
【０００２】
従来、上記のようなラッチ装置として、例えば特許文献１に記載されるキャッチロックと称される金具が知られている。キャッチロックは、一般に、蓋を閉じた後にキャッチレバーを相手方のキーパーに係合させる操作をしなければならない。その操作を忘れると、蓋は不用意に開くことがある。例えば、筐体が自転車やオートバイの荷台に搭載されたものである場合、ロック操作を忘れた蓋は、走行中に不用意に開き、収納物を紛失することになりかねない。そこで、特許文献１に記載されるキャッチロックは、蓋の閉鎖時にキャッチレバーをキーパーに自動的に係合させて仮ロックし、しかもその仮ロックを容易に解くことができ、かつ別途、本ロック操作を容易にできるようにしたものである。
【先行技術文献】
【特許文献】
【０００３】
【特許文献１】特開平８−１４４６１３号公報
【発明の概要】
【発明が解決しようとする課題】
【０００４】
上記課題を解決するための、この出願に係る発明のラッチ装置は、筐体とそれの蓋体のような２部材間を締結するラッチ装置であって、ロック操作をしなくても、蓋体の閉鎖動作により自動的に筐体との間が締結され、施錠なしでも両者間が不用意に開離することがないものを、上記キャッチロックとは異なった構成で提供することを目的としている。
【課題を解決するための手段】
【０００５】
以下、添付図面の符号を参照して説明するが、本発明はこれに限定されるものではない。
上記課題を解決するための、この出願に係る発明のラッチ装置１は、筐体と蓋体のような、互いに接合、開離する当接面４２，５２と、この当接面に直交する取り付け面４３，５３とをそれぞれ有する第１部材４１と第２部材５１とを締結するために、取り付け面４３，５３上に取り付けられる。このラッチ装置１は、第１部材４１の取り付け面４３上に取り付けられる第１の締結体２と、第２部材５１の取り付け面５３上に取り付けられ、第１の締結体２に対して結合、分離可能な第２の締結体３とを具備する。第１の締結体２は、支持部材４と、ラッチレバー５と、錠前ユニット６とを具備する。第１の締結体２の支持部材４は、第１部材４１の取り付け面４３上に固着される。ラッチレバー５は、取り付け面４３に平行な枢軸７により支持部材４に枢支され、取り付け面４３側に倒伏した締結位置と、そこから起立した非締結位置との間を回動自在で、常時締結位置に付勢される。ラッチレバー５は、枢軸７を挟んだ一端側に係合部１５、他端側に操作部１９を有する。係合部１５は、ラッチレバー５の締結位置において第２の締結体３に係合し、非締結位置においてそれから離脱する。操作部１９は、それの押圧操作により、ラッチレバー５を非締結位置へ回動させる。錠前ユニット６は、支持部材４上に固着され、キー操作により、締結位置にあるラッチレバー５を支持部材４に拘束、解放する。第２の締結体３は、第２部材５１の取り付け面５３上に固着される支持部材２０と、この支持部材２０上に支持されるラッチアーム２１とを具備する。ラッチアーム２１は、第２部材５１が第１部材４１に接合する動作時にラッチレバー５の係合部１５に自動係合して第１部材４１と第２部材５１とを締結する。このラッチアーム２１と第１締結体２のラッチレバー５との係合は、ラッチレバー５の起立動作時における取り付け面４３に直交する方向の相対移動により解除可能である。
【発明の効果】
【０００６】
この出願に係る発明のラッチ装置によれば、ロック操作をしなくても、蓋体の閉鎖動作により自動的に筐体との間が締結され、両者間が不用意に開離することがなく、しかも締結の解除操作を容易に行うことができる。
【図面の簡単な説明】
【０００７】
【図１】本発明に係るラッチ装置の断面図である。
【図２】図１のラッチ装置の締結状態の断面図である。
【図３】図１のラッチ装置の非締結状態の断面図である。
【図４】図１のラッチ装置の締結状態の側面図である。
【図５】図１のラッチ装置の締結状態の平面図である。
【図６】図１のラッチ装置の締結状態の底面図である。
【図７】図１のラッチ装置における第１締結体の側面図である。
【図８】図１のラッチ装置における第１締結体の平面図である。
【図９】図１のラッチ装置における第１締結体の底面図である。
【図１０】図１のラッチ装置における第２締結体の側面図である。
【図１１】図１のラッチ装置における第２締結体の平面図である。
【図１２】図１のラッチ装置における第２締結体の底面図である。
【図１３】図１のラッチ装置における第２締結体の基板を外した底面図である。
【図１４】図１１におけるXIV−XIV断面図である。
【発明を実施するための形態】
【０００８】
図面を参照してこの発明の実施の形態を説明する。
ラッチ装置１を装着する部材は、筐体のような第１部材４１と、筐体の上部開口を開閉するための蓋体のような第２部材５１とを具備する。第１部材４１と第２部材４２は、互いに接合、開離する当接面４２，５２と、この当接面に直交する取り付け面４３，５３とをそれぞれ有する。ラッチ装置１は、第１部材４１と第２部材５１とを締結するために、取り付け面４３，５３上の、当接面４２，５２に接近した部位に取り付けられる。
【０００９】
ラッチ装置１は、第１部材４１の取り付け面４３上に取り付けられる第１の締結体２と、第２部材５１の取り付け面５３上に取り付けられる第２の締結体３とを具備する。第１の締結体２と第２の締結体３は、互いに結合、分離可能に構成される。
第１の締結体２は、支持部材４と、ラッチレバー５と、錠前ユニット６とを具備する。支持部材４は、第１部材４１の取り付け面４３上に固着される。ラッチレバー５は、取り付け面４３および当接面４２に平行な枢軸７により、支持部材４に枢支される。錠前ユニット６は、支持部材４上に、ロータの回転軸線を取り付け面４３に垂直に配置して固着される。
【００１０】
支持部材４は、基板部８と、起立板部９と、ブラケット部１０と、支持板部１１とを具備し、板材を屈曲成形して一体に構成される。基板部８は、第１部材４１の取り付け面４３上に、図示しないボルトで固着される。起立板部９は、基板部８における、当接面４３と反対側（後方）の端から直角に起立する。ブラケット部１０は、起立板部９の対向する左右両縁から後方へ延出しており、枢軸７により、ラッチレバー５を枢支する。
【００１１】
ラッチレバー５は、ほぼ矩形の天板部１２と、天板部の左右両縁から垂下する対向一対の側板部１３とを具備し、この側板部の後方部位において枢軸７で、ブラケット部１０に枢支される。これにより、ラッチレバー５は、図１に示すように、取り付け面４３側に倒伏した締結位置と、図２に示すように、取り付け面４３から起立した非締結位置との間を回動自在であり、締結位置において前方端部が当接面４２より前方へ延出する。枢軸７に巻かれたばね１４の一端が起立板部９の後面に、他端がラッチレバー５の天板部１２の後部下面にそれぞれ係止され、それによってラッチレバー５は、常時図１に示す締結位置に付勢される。
【００１２】
ラッチレバー５における側板部１３の前方端部には、係合部１５が設けられる。係合部１５は、一対の側板部１３の内側に相対向して突出し、ラッチレバー５が締結位置にあるとき第２の締結体３に係合し、非締結位置にあるときそれから離脱する。一方の側板部１３の中間位置には、ラッチレバー５が締結位置にあるときに、錠前ユニット６の掛金１６が係脱する掛金係合部１７が突設される。掛金１６が掛金係合部１７に係合すると、ラッチレバー５は非締結位置へ起立することができない。
【００１３】
ラッチレバー５の天板部１２には、キー挿入用の開口１８と、ラッチレバー５の回転操作のための押圧操作部１９が設けられる。操作部１９は、天板部１２における、枢軸７より後方位置に配置され、それを取り付け面４３側（下方）へ押圧操作することにより、締結位置にあるラッチレバー５を、ばね１４に抗して非締結位置へ回動させることができる。
【００１４】
錠前ユニット６は、支持板部１１に固着される。錠前ユニット６の上端面は、ラッチレバー５が締結位置にあるときに開口１８を通してキー操作できるように、開口１８から上方へ露出する。錠前ユニット６を図示しないキーで操作することにより、締結位置にあるラッチレバー５を支持部材４に錠止し、または解放する。
【００１５】
第２の締結体３は、第２部材５１の取り付け面５３上に固着される支持部材２０と、この支持部材２０上に枢支されるラッチアーム２１とを具備する。
【００１６】
支持部材２０は、基板２２と、基板に固着される枠体２３とを具備し、図示しないボルトで第２部材５１の取り付け面５３上に一体に固着される。枠体２３は、接合面５２に平行に並んで、取り付け面５３に対して垂直の３つの軸部２４，２５，２５（図１３，１４）と、取り付け面５２との間に間隔を置いてこれと平行に、接合面５２を超えて第１部材側へ延出する保護板部２６とを具備する。３つの軸部のうち、中央の軸部２４は、ラッチアーム２１を付勢するばね２７を受け、左右一対の軸部２５は、ラッチアーム２１の基端部を枢支する。
【００１７】
一対のラッチアーム２１は、基端部において支持部材の軸部２５に枢支され、先端側が接合面５２を超えて第１部材側４１へ延出しており、先端部に左右方向外側へ突出する係合部２８を有する。一対のラッチアーム２１は、接合面５２に対して直角方向に延びる係合位置と、両者の先端部が接近した非係合位置との間を取り付け面５３と平行に回転自在で、ばね２７により、常時係合位置に付勢される。しかして、第２部材５１が第１部材４１に対して、図１の矢線方向に接合する動作時における接合直前に、ラッチアーム２１の係合部２８がラッチレバー５の係合部１５に摺接してラッチアーム２１が非係合位置へ移動し、接合時に摺接を脱して係合位置に復帰することにより、係合部２８が係合部１５に自動係合して、第１部材４１と第２部材５１とを締結する。しかし、この状態で、ラッチアーム２１は、非締結位置への起立動を制限されない。すなわち、ラッチアーム２１の係合部２８とラッチレバー５の係合部１５との係合は、ラッチレバー５が非締結位置へ起立動作するときに、取り付け面４２，５２に直交する方向へ相対移動することにより解除可能である。
【００１８】
図１において、筐体のような第１部材４１と蓋体のような第２部材５１とは、相互に接合面４２，５２間を開離させた位置にあり、第１締結体２のラッチレバー５は、ばね１４により付勢されて締結位置にある。この状態から第２部材５１を図１の矢線方向に移動させて、図２に示すように、接合面４２，５２を突き合わせると、ラッチアーム２１の係合部２８とラッチレバー５の係合部１５とが自動的に係合する。この状態で、部材４１，５１間は締結され、そのままでは接合面４２，５２間を開離することができなくなる。すなわち、例えば、筐体の蓋を閉じれば、自動的に両者間が締結されるので、締結忘れを生じるおそれがない。さらにこの状態で、キー操作により、錠前ユニット６を施錠位置に持ち来すと、掛金１６がラッチレバー５の掛金係合部１７に係合して、ラッチレバー５が締結位置に錠止される。
【００１９】
錠前ユニット６を解錠して、ラッチレバー５の操作部１７を押圧操作すると、図３に示すように、ラッチレバー５は非締結位置へ立ち上がり、係合部１７，２８間の係合が解除されるから、この状態で第１，第２部材４１，５１間を開離することができる。
【符号の説明】
【００２０】
１    ラッチ装置
２    第１締結体
３    第２締結体
４    支持部材
５    ラッチレバー
６    錠前ユニット
７    枢軸
８    基板部
９    起立板部
１０  ブラケット部
１１  支持板部
１２  天板部
１３  側板部
１４  ばね
１５  係合部
１６  掛金
１７  掛金係合部
１８  開口
１９  操作部
２０  支持部材
２１  ラッチアーム
２２  基板
２３  枠体
２４  軸部
２５  軸部
２６  軸部
２７  ばね
２８  係合部
４１  第１部材
４２  接合面
４３  取り付け面
５１  第１部材
５２  接合面
５３  取り付け面
【図１】
0005291731.tif 000002
【図２】
0005291731.tif 000003
【図３】
0005291731.tif 000004
【図４】
0005291731.tif 000005
【図５】
0005291731.tif 000006
【図６】
0005291731.tif 000007
【図７】
0005291731.tif 000008
【図８】
0005291731.tif 000009
【図９】
0005291731.tif 000010
【図１０】
0005291731.tif 000011
【図１１】
0005291731.tif 000012
【図１２】
0005291731.tif 000013
【図１３】
0005291731.tif 000014
【図１４】
0005291731.tif 000015